【手続補正書】
【提出日】平成15年11月12日(2003.11.12)
【手続補正１】
【補正対象書類名】特許請求の範囲
【補正対象項目名】全文
【補正方法】変更
【補正の内容】
【特許請求の範囲】
【請求項１】
ハウジングと前記ハウジングに取りつけられたひずみ除去装置とを具備する現場取付式電気コネクタであって：
ａ）前記ハウジングがケーブルを収容するようになっていて、前記ケーブルが少なくとも一つの電気導体を含んでいて；
ｂ）前記ひずみ除去装置が前記ハウジングに向けて長手方向へ押し込まれる場合、すなわち前記ひずみ除去装置のどのような回転をも必要とすることなく、前記ひずみ除去装置を前記ハウジングへ向けて移動するために、前記ひずみ除去装置は、前記ハウジングを前記ケーブルに締めつけるための手段を含んでいる；現場取付式電気コネクタにおいて；
前記現場取付式電気コネクタは挿入軸を含んでいて、前記現場取付式電気コネクタは、対応する電気コネクタへ差し込まれる場合、前記挿入軸に平行な方向へ押し込まれるようになっており、さらに前記ひずみ除去装置は、前記ハウジングへ向けて長手方向に押し込まれる場合、前記挿入軸に平行な方向へ押し込まれており；
前記ハウジングが第一半割と第二半割とを含んでいて、前記ハウジングが組立てられる際に、前記第一半割は前記第二半割に隣接するようになっていて；
前記ハウジングを前記ケーブルに締めつけるための前記手段が、前記ハウジングにおける前記第一及び前記第二半割各々に取りつけられた複数のフィンガと、前記複数のフィンガをおおって滑動するようになっており、かつ前記複数のフィンガを前記ケーブルに向けて押しのけるようになっている、ひずみ除去アセンブリとを含んでおり；
前記現場取付式電気コネクタが、前記対応する電気コネクタへ差込まれる場合、前記ひずみ除去アセンブリは、前記挿入軸に平行な方向に把持され押し込まれるようになっていて；
前記複数のフィンガが、前記複数のフィンガの外周に配設された複数の第一ラチェットつめと、前記ひずみ除去アセンブリに配設された金属製インサートの内周に配設された対応する複数の第二ラチェットつめとを含んでいて、従って前記第一ラチェットつめと前記第二ラチェットつめとがそれぞれ第一テーパと第二テーパに配設されており、さらに前記ひずみ除去アセンブリが前記コネクタへ向けて前記挿入方向に沿って押し込まれる場合、前記第二ラチェットつめは、前記第一ラチェットつめをおおって、前記ケーブルの長手軸に沿った第一方向へ間欠的に前進していて、そこで前記ケーブルが前記電気コネクタへ取りつけられ、さらに前記ひずみ除去アセンブリが、前記第一方向と対向する第二方向へ押し込まれるのを防止するために、前記第一及び前記第二ラチェットつめが協働しており；
ひずみ除去アセンブリが前記挿入方向に平行な方向へ、前記現場式電気コネクタを前記対応する電気コネクタへ差し込むことにより、押し込まれるとき、前記複数のつめにより前記ケーブルに対して作用される力の大きさの増大が、必要とされる場合、前記第二ラチェットつめが前記第一ラチェットつめをおおって前記第一方向に間欠的に前進することにより、提供されていて、その力の大きさの増大は、ひずみ除去の所望されるレベルを自動的維持するために十分なものである；現場取付式電気コネクタ。
【請求項２】
前記ハウジングが剪断への抵抗を提供するための手段を含んでいる、請求項１に記載の現場取付式電気コネクタ。
【請求項３】
前記剪断への抵抗を提供するための手段が、前記第一半割に配設された複数のピンと、前記第二半割に配設された複数の穴とを含んでいて、前記複数のピン各々が、前記複数の穴各々の一つに挿入されるようになっている、請求項２に記載の現場取付式電気コネクタ。
【請求項４】
前記剪断への抵抗を提供するための手段が、前記第一半割の一方の側面に配設された複数のピンと、前記第一半割の対向側面に配設された複数の穴とを含んでいて、かつ前記第一半割の前記一方の側面における前記複数のピンに対応して対向的に配設された、前記第二半割における複数の穴と、前記第二半割の対向側面に配設された複数のピンとを含んでおり；
前記第一半割における前記複数のピン各々が、前記第二半割における前記複数の穴各々の一つに挿入されるようになっていて；さらに、
前記第二半割における前記複数のピン各々が、前記第一半割における複数の穴各々の一つに挿入されるようになっている；
請求項２に記載の現場取付式電気コネクタ。
【請求項５】
前記ひずみ除去アセンブリが前記第一方向へ押し込まれる場合、前記複数のフィンガは前記ケーブルに向けて漸増的に押し込まれる、請求項１に記載の現場取付式電気コネクタ。
【請求項６】
前記複数のフィンガ各々が、内周に配列された複数の把持用つめを含んでいて、前記ひずみ除去アセンブリが前記第一方向に押し込まれる場合、前記把持用つめは、前記フィンガを前記ケーブルに漸増的に締めつけるようになっている、請求項５に記載の現場取付式電気コネクタ。
【請求項７】
前記現場取付式コネクタが前記対応するコネクタに差し込まれる場合、前記ひずみ除去アセンブリは、前記第一方向に押込まれるようになっていて；前記コネクタが前記コネクタに差し込まれる場合に前記ひずみ除去アセンブリに作用する力は、十分な量のたるみが前記複数のフィンガと前記ケーブルとの中間に生じているとき、前記ひずみ除去アセンブリを前記第一方向に長手方向に押しのけるのに十分なものであって；さらに前記第一方向における前記移動が前記たるみを低減するようになっている、請求項６に記載の現場取付式電気コネクタ。
【請求項８】
少なくとも一つの溝が、前記第一半割の中と第二半割の中とに備えられていて、弧状リップが前記第一半割の中と前記第二半割の中とにおける前記溝各々に備えられており；前記第一半割が前記第二半割の近傍に配列される場合、凹部付き溝が、前記ノーズインサートにおいて前記溝各々の近傍に提供されていて；埋込用エポキシを受け入れるようになっているキャビティーが提供されており、前記埋込用エポキシが固化する場合に、前記埋込用エポキシは前記弧状リップと協働し、前記第一半割を前記第二半割近傍に保持するようになっている；請求項１に記載の現場取付式電気コネクタ。
【請求項９】
現場取付式電気コネクタのケーブルに使用される、ひずみ除去の自動的漸増方法であって：
（ａ）少なくとも一つの電気導体を含んでいるケーブルを収容するようになっているハウジングを提供する段階と；
（ｂ）前記ひずみ除去を前記ハウジングに向けて促す場合に、前記ハウジングを前記ケーブルに締めつけるために、ひずみ除去を漸増することを提供する段階と；
（ｃ）前記ハウジングに向けて前記ひずみ除去アセンブリを押し込む段階と；
を含んでいるひずみ除去の自動的漸増方法において；
前記現場取付式電気コネクタは挿入軸を含んでいて、前記現場取付式電気コネクタは、対応する電気コネクタへ差し込まれる場合、前記挿入軸に平行な方向へ押し込まれるようになっており、さらに前記ひずみ除去装置は、前記ハウジングへ向けて長手方向に押し込まれる場合、前記挿入軸に平行な方向へ押し込まれており；
前記ハウジングが第一半割と第二半割とを含んでいて、前記ハウジングが組立てられる際に、前記第一半割は前記第二半割に隣接するようになっていて；
前記ハウジングを前記ケーブルに締めつけるための前記手段が、前記ハウジングにおける前記第一及び前記第二半割各々に取りつけられた複数のフィンガと、前記複数のフィンガをおおって滑動するようになっており、かつ前記複数のフィンガを前記ケーブルに向けて押しのけるようになっている、ひずみ除去アセンブリとを含んでおり；
前記現場取付式電気コネクタが、前記対応する電気コネクタへ差込まれる場合、前記ひずみ除去アセンブリは、前記挿入軸に平行な方向に把持され押し込まれるようになっていて；
前記複数のフィンガが、前記複数のフィンガの外周に配設された複数の第一ラチェットつめと、前記ひずみ除去アセンブリに配設された金属製インサートの内周に配設された対応する複数の第二ラチェットつめとを含んでいて、従って前記第一ラチェットつめと前記第二ラチェットつめとがそれぞれ第一テーパと第二テーパに配設されており、さらに前記ひずみ除去アセンブリが前記コネクタへ向けて前記挿入方向に沿って押し込まれる場合、前記第二ラチェットつめは、前記第一ラチェットつめをおおって、前記ケーブルの長手軸に沿った第一方向へ間欠的に前進していて、そこで前記ケーブルが前記電気コネクタへ取りつけられ、さらに前記ひずみ除去アセンブリが、前記第一方向と対向する第二方向へ押し込まれるのを防止するために、前記第一及び前記第二ラチェットつめが協働しており；
ひずみ除去アセンブリが前記挿入方向に平行な方向へ、前記現場式電気コネクタを前記対応する電気コネクタへ差し込むことにより、押し込まれるとき、前記複数のつめにより前記ケーブルに対して作用される力の大きさの増大が、必要とされる場合、前記第二ラチェットつめが前記第一ラチェットつめをおおって前記第一方向に間欠的に前進することにより、提供されていて、その力の大きさの増大は、ひずみ除去の所望されるレベルを自動的維持するために十分なものである；ひずみ除去の自動的漸増方法。
【請求項１０】
前記ハウジングに向けて前記ひずみ除去アセンブリを押し込む段階が、前記ひずみ除去アセンブリを把持し、さらに前記現場式電気コネクタを前記対応する電気コネクタへ押し込むために十分な力を前記ひずみ除去アセンブリに作用する段階を含んでいて、前記現場式コネクタが、前記対応するコネクタに差し込まれる場合、力は、前記ひずみ除去アセンブリを前記ハウジングに向けて押し込む方向で、前記ひずみ除去アセンブリに作用される、請求項９に記載のひずみ除去の自動的漸増方法。